(57)【特許請求の範囲】
【請求項１】
底部と底部の相対する長辺部にヒンジ連結された長側壁と底部の相対する短辺部にヒンジ連結された短側壁とから構成されており、箱型に組み立てられた状態から、最初に、短側壁を、底部に重なるように倒し、次いで、長側壁を、底部に重ねられた短側壁に重なるように倒すことにより、折り畳むことが可能な折り畳みコンテナーにおいて、長側壁を、底部方向に倒して、底部に重ねられた短側壁の上に重ねた際には、長側壁の上部フランジ同士が、略当接するように近接して位置するように構成されており、且つ、長側壁の上部フランジの中央領域を凹ますことにより、倒された相対する長側壁の上部フランジ間に、射出成形された長側壁の上部フランジの上方への湾曲変形が吸収可能な間隙が形成されていることを特徴とする折り畳みコンテナー。
【請求項２】
倒された相対する長側壁の上部フランジ間に形成された間隙の下には、先に倒された短側壁の上部フランジ間に形成された間隙が位置するように構成されていることを特徴とする請求項１に記載の折り畳みコンテナー。
【請求項３】
長側壁の上部フランジに、下方に湾曲した湾曲部が形成されていることを特徴とする請求項１又は請求項２に記載の折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形状の底部の相対する長辺部に、ヒンジ部を介して、長側壁が連結され、また、底部の相対する短辺部に、同じくヒンジ部を介して、短側壁が連結された折り畳みコンテナーが知られており、底部、長側壁及び短側壁は、それぞれ、射出成形により、合成樹脂で一体成形されている。箱型に組み立てられた折り畳みコンテナーを折り畳むには、先ず最初に、短側壁を、底部に重なるように倒し、次いで、長側壁を、底部に重ねられた短側壁に、重なるように倒すことにより、折り畳むことができるように構成されている。そして、底部に重ねられた短側壁に、重なるように倒された長側壁は、上部フランジ同士が、略当接するように近接して配置されるように構成されている。
【０００３】
【発明が解決しようとする課題】
上述した従来の折り畳みコンテナーにおいては、底部に重ねられた短側壁に、重なるように倒された長側壁が、上部フランジ同士が、略当接するように近接するように配置されているために、図６に示されているように、合成樹脂で成形された長側壁１０の上部フランジ１０ａが、上方に湾曲して成形されていると、倒された長側壁１０の上部フランジ１０ａ同士が、互いに重なり合ってしまい、折り畳まれた状態の折り畳みコンテナーの折り畳み高さが高くなってしまうという問題があった。
【０００４】
本発明の目的は、上述した従来の折り畳みコンテナーが有する課題を解決することにある。
【０００５】
【課題を解決するための手段】
本発明は、上述した目的を達成するために、底部と底部の相対する長辺部にヒンジ連結された長側壁と底部の相対する短辺部にヒンジ連結された短側壁とから構成されており、箱型に組み立てられた状態から、最初に、短側壁を、底部に重なるように倒し、次いで、長側壁を、底部に重ねられた短側壁に重なるように倒すことにより、折り畳むことが可能な折り畳みコンテナーにおいて、第１には、長側壁を、底部方向に倒して、底部に重ねられた短側壁の上に重ねた際には、長側壁の上部フランジ同士が、略当接するように近接して位置するように構成されており、且つ、長側壁の上部フランジの中央領域を凹ますことにより、倒された相対する長側壁の上部フランジ間に、射出成形された長側壁の上部フランジの上方への湾曲変形が吸収可能な間隙を形成したものであり、第２には、倒された相対する長側壁の上部フランジ間に形成された間隙の下に、先に倒された短側壁の上部フランジ間に形成された間隙が位置するように構成したものであり、第３には、長側壁の上部フランジに、下方に湾曲した湾曲部を形成したものである。
【０００６】
【実施例】
以下に、本発明の実施例について説明するが、本発明の趣旨を越えない限り何ら、本実施例に限定されるものではない。
【０００７】
１は、平面形状が略長方形状の底部であり、底部１の相対する長辺部１ａには、ヒンジ部を介して、長側壁２が連結され、また、底部１の相対する短辺部１ｂには、同じくヒンジ部を介して、短側壁３が連結されている。
【０００８】
図１に示されてるように、折り畳みコンテナーを、箱型に組み立てられた状態から、折り畳むには、先ず最初に、略垂直に立てられている相対する短側壁３を、底部１方向に倒して、図２に示されているように、底部１に重ねる。次いで、略垂直に立てられている相対する長側壁２を、底部１方向に倒して、底部１に重ねられた短側壁３の上に重ねて、図３に示されているように折り畳む。
【０００９】
長側壁２を、底部１方向に倒して、底部１に重ねられた短側壁３の上に重ねた際には、長側壁２の上部フランジ２ａ同士が、図３及び図４に示されているように、略当接するように近接して位置するように構成されており、このように構成することにより、折り畳まれた状態の高さが低く、且つ、箱型に組み立てられた折り畳みコンテナーの高さを、最大限まで高くすることができ、従って、箱型に組み立てられた折り畳みコンテナーの内容積を大きくして、より多くの物品を収納することができるように構成されている。
【００１０】
長側壁２の上部フランジ２ａの中央領域には、上部フランジ２ａの中央領域を下方に凹ますことにより、相対する傾斜壁面ｄ１と上部フランジ２ａの上面から下がった位置にある底面ｄ２とからなる凹部Ｄが形成されている。
【００１１】
このように構成することにより、射出成形された長側壁２の上部フランジ２ａが、上方に湾曲していても、上部フランジ２ａの中央領域に形成された凹部Ｄにより、倒された相対する長側壁２間に、長側壁２の上部フランジ２ａの上方への湾曲変形が吸収可能な間隙Ｓ１が形成されるので、図６に示されている従来の折り畳みコンテナーのように、倒された長側壁１０の上部フランジ１０ａが、互いに重なり合って、折り畳まれた状態の折り畳みコンテナーの折り畳み高さが高くなるようなことを防止することができる。
【００１２】
また、図３に示されているように、折り畳まれた状態の折り畳みコンテナーの相対する長側壁２の中央領域には、長側壁２の上部フランジ２ａの中央領域に形成された凹部Ｄにより、間隙Ｓ１が形成されているとともに、間隙Ｓ１の下には、底部１に重なるように倒されている相対する短側壁３の上部フランジ３ａ間に形成された間隙Ｓ２が位置している。従って、長側壁２の上部フランジ２ａの中央領域に形成された凹部Ｄにより形成された間隙Ｓ１と短側壁３の上部フランジ３ａ間に形成された間隙Ｓ２に指を入れて、長側壁２の下に指を差し込み、その後、手を持ち上げることにより、長側壁２を、簡単に、且つ、迅速に、垂直方向に回動することができる。
【００１３】
従来の折り畳みコンテナーの場合には、倒された状態の相対する長側壁１０の上部フランジ１０ａ間には、指が入る程の間隙が形成されていないので、長側壁２の垂直方向への回動作業を、迅速に行うことができず、従って、折り畳みコンテナーの箱型への組み立て作業の作業性が悪かったが、本発明の折り畳みコンテナーの場合には、上述したように、折り畳まれた状態の長側壁２を、簡単に、且つ、迅速に、垂直方向に回動することができるので、折り畳みコンテナーの箱型への組み立て作業の作業性が向上する。
【００１４】
図５に示されている実施例は、長側壁２の上部フランジ２ａの中央領域に凹部Ｄを形成する代わりに、長側壁２の上部フランジ２ａの全体を、下方に湾曲させて、上部フランジ２ａに湾曲部２ｂを形成したものである。このように、長側壁２の上部フランジ２ａに、下方に湾曲する湾曲部２ｂを形成することにより、図６に示されている従来の折り畳みコンテナーのように、倒された長側壁１０の上部フランジ１０ａが、互いに重なり合って、折り畳まれた状態の折り畳みコンテナーの折り畳み高さが高くなるようなことを防止することができる。
【００１５】
また、長側壁２の上部フランジ２ａに、下方に湾曲する湾曲部２ｂを形成することにより、長側壁２を倒した際に、上述した実施例の場合と同様の間隙Ｓ１’が形成されることになる。従って、倒された状態の長側壁２の上部フランジ２ａに形成された湾曲部２ｂ間に形成された間隙Ｓ１’と、短側壁３の上部フランジ３ａ間に形成された間隙Ｓ２に指を入れて、長側壁２の下に指を差し込み、その後、手を持ち上げることにより、上述した実施例と同様に、長側壁２を、簡単に、且つ、迅速に、垂直方向に回動することができる。
【００１６】
【発明の効果】
本発明は、以上説明した構成を有しているので、以下に記載する効果を奏するものである。
【００１７】
従来の折り畳みコンテナーのように、倒された長側壁が、互いに重なり合って、折り畳まれた状態の折り畳みコンテナーの折り畳み高さが高くなるようなことを防止することができる。
【００１８】
倒された状態の相対する長側壁間に形成された間隙と、倒された状態の相対する短側壁間に形成された間隙に指を入れるとともに、長側壁の下に指を差し込み、その後、手を持ち上げることにより、折り畳みコンテナーの箱型への組み立て作業の際に、倒された状態の長側壁を、簡単に、且つ、迅速に、垂直方向に回動することができるので、従って、折り畳みコンテナーの折り畳み作業の作業性が向上する。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーが折り畳まれた状態の斜視図である。
【図４】図４は本発明の折り畳みコンテナーが折り畳まれた状態の平面図である。
【図５】図５は本発明の別の実施例の折り畳みコンテナーが折り畳まれた状態の平面図である。
【図６】図６は従来の折り畳みコンテナーが折り畳まれた状態の平面図である。
【符号の説明】
１・・・・・・・・・・・・・・底部
２・・・・・・・・・・・・・・長側壁
２ｂ・・・・・・・・・・・・・湾曲部
３・・・・・・・・・・・・・・短側壁
Ｄ・・・・・・・・・・・・・・凹部
【図１】
0003842638.tif 000002
【図２】
0003842638.tif 000003
【図３】
0003842638.tif 000004
【図４】
0003842638.tif 000005
【図５】
0003842638.tif 000006
【図６】
0003842638.tif 000007